(57)【要約】【課題】ユーザの個人情報を基にユーザ毎に最適な操作環境が得られる画像形成装置を提供する。【解決手段】視覚に障害のあるユーザの、見えにくい色、置換する色を含む個人情報を入力する情報入力手段８、個人情報が保管された記憶手段５、６、入力された個人情報と保管された個人情報を比較判定する判定手段９、判定結果に基づいて表示色を置換して表示する表示手段２１、各手段を統括制御する制御手段３を備えた画像形成装置。【選択図】図２
2007121760.tif 000002
【特許請求の範囲】
【請求項１】
個人情報を入力する情報入力手段と、表示操作前記個人情報を記憶する記憶手段と、入力された個人情報と前記記憶手段に記憶された個人情報を比較して判定する判定手段と、該判定手段の判定結果に基づいて操作情報を表示する表示手段の表示色を制御する制御手段と、を備えたことを特徴とする画像形成装置。
【請求項２】
請求項１記載の画像形成装置において、前記判定手段の判定結果に基づいてサムネイル画像の表示色、画像サイズを変更するサムネイル生成手段を備えたことを特徴とする画像形成装置。
【請求項３】
請求項２記載の画像形成装置において、前記制御手段は、前記表示手段の表示色、或いはいは前記サムネイル画像の表示色が前記記憶手段に記憶されている個人情報と異なる場合は、表示色の変更入力を許容し、前記記憶手段に上書きすることを特徴とする画像形成装置。
【発明の詳細な説明】
【技術分野】
【０００１】
本発明は、複写機、レーザープリンタ等の画像形成装置に関する。
【背景技術】
【０００２】
複写機、ファクシミリ装置、プリンタ装置やそれらのＯＡ機器が提供する機能を１台に統合した複合機等の画像形成装置は、取り扱う機能が多種多様となり、画像形成装置に取り付けられた操作パネルだけでは操作が困難となったために、操作部に取り付けられた表示部（ディスプレイ）上にタッチパネルを設けて、ユーザはそのタッチパネルを操作することにより、紙種等の設定を行っている。
また、画像形成装置の中には、原稿読み取り部から読み込んだデータを基に、印刷前に表示部に印刷する画像のサムネイル表示をするものもある。そして表示部も白黒表示からカラー表示にかわりつつある。
【発明の開示】
【発明が解決しようとする課題】
【０００３】
ところで、近年、身体に障害を持った者の社会進出を考慮し、健常者と同じように働けるオフィスの整備が必要とされている。しかし、上記した画像形成装置は健常者用の設計がなされており、身体障害者が使用するには不便なことが多い。特に色弱、色盲のユーザはカラー表示に対応できない。
本発明は、ユーザの個人情報を基にユーザ毎に最適な操作環境が得られる画像形成装置を提供することを目的とする。
【課題を解決するための手段】
【０００４】
上記目的を達成するために、請求項１記載の発明は、個人情報を入力する情報入力手段と、表示操作前記個人情報を記憶する記憶手段と、入力された個人情報と前記記憶手段に記憶された個人情報を比較して判定する判定手段と、該判定手段の判定結果に基づいて操作情報を表示する表示手段の表示色を制御する制御手段と、を備えた像形成装置を最も主要な特徴とする。
請求項２記載の発明は、請求項１記載の画像形成装置において、前記判定手段の判定結果に基づいてサムネイル画像の表示色、画像サイズを変更するサムネイル生成手段を備えたことを特徴とする。
請求項３記載の発明は、請求項２記載の画像形成装置において、前記制御手段は、前記表示手段の表示色、或いはいは前記サムネイル画像の表示色が前記記憶手段に記憶されている個人情報と異なる場合は、表示色の変更入力を許容し、前記記憶手段に上書きすることを特徴とする。
【発明の効果】
【０００５】
本発明によれば、個人情報を入力する情報入力手段と、表示操作前記個人情報を記憶する記憶手段と、情報入力手段により入力された個人情報と記憶手段に記憶された個人情報を比較して判定し、その判定結果に基づいて制御手段により操作情報を表示する表示手段の表示色を制御するようにした。従って、例えば視覚に障害のあるユーザの見えにくい色や置換する色を含む個人情報を情報入力手段により入力して記憶手段に記憶させておくことで、ユーザの個人情報を基にユーザ毎に最適な操作環境が得られる画像形成装置を提供することができる。
【発明を実施するための最良の形態】
【０００６】
以下、本発明の実施形態を図面に従って説明する。
図１は本発明の実施形態に係る画像形成装置の外観図である。操作部１の側方に個人認証ユニット２が設けてある。視覚障害（色弱、色盲）を持つユーザは、個人認証ユニット２から各個人のユーザＩＤを画像形成装置へ入力する。情報入力に使用するユーザＩＤを記憶しておく記憶媒体は、ユーザの携帯電話、ＩＣカード等が考えられる。また、非接触型のＩＣカードでもよい。
図２は本発明の実施形態に係る画像形成装置の機能ブロック図である。
この図２に示す本実施形態の画像形成装置は、操作部１、ＣＰＵ（制御手段）３、原稿読み取り部４、第１の記憶部５、第２の記憶部６、第３の記憶部７、情報入力部（個人認証ユニット２に連なる）８、判定部９、画処理部１０、印刷実行部１１を備える。操作部１は、表示部２１、操作制御部２２、操作キー部２３を有する。原稿読み取り部４は、サムネイル生成部３１、原稿読み取り制御部３２を有する。
あらかじめ、視覚障害（色弱、色盲）を持つユーザは、画像形成装置内の第２の記憶部６にユーザＩＤと自分が見えにくい色の情報と置換する色の情報などの個人情報を登録しておく。第２の記憶部６は各ユーザの個人情報が格納されたデータテーブルとなっている。
【０００７】
図３は各ユーザの個人情報のデータテーブルを示す図である。図３のデータテーブルは、ユーザＩＤと共に１人１人の視覚障害者が見えにくい色と置換する色の情報（個人情報）が格納されており、個人認証ユニット２から入力された個人情報は、情報入力部８を介して第２の記憶部６に転送される。そして判定部９により第２の記憶部６に格納された各個人情報と順次比較され、ユーザユーザＩＤと一致する情報を探し出す。
ここで、探し出された個人情報は第１の記憶部５に格納される。次に格納された個人情報は操作制御部２２に転送される。個人情報に表示部の色を変更する情報が含まれている場合、操作制御部２２は表示部２１の表示色を変更する。例えば、図３のデータテーブルに黄色が見にくいので、黒で置換という情報が書き込まれていた場合、表示部２１の黄色の箇所を黒に置換する。
原稿読み取り部４により読み取られた原稿は、第３の記憶部７、例えばハードディスクへ転送され記憶される。記憶された情報は、サムネイル生成部３１に転送される。ここで、サムネイル生成部３１は第１の記憶部５からユーザが見にくい色の情報を読み出し、前記同様にサムネイル画像に使われている色の変更（色の置換）を行う。
また第１の記憶部５から読み出した情報に、サムネイル画像の表示色変更と共に、サムネイル画像の表示サイズ変更が書き込まれていた場合には、操作部制御部２２は、原稿読み取り部４から読み込んだ印刷画像のサムネイル画像サイズを変更し表示する。
この時に、表示部２１の色を黒で置換するという情報が書き込まれていたが、実際に黒で置換してもユーザが見えにくい場合は、操作キー部２３のテンキー操作により、青または赤に置換する。青の方が見やすいと感じたユーザはテンキー操作により、青に置換することを決定すると、操作部制御部２２は第２の記憶部６にアクセスし、以前の黒に置換するという情報を、青に置換を行うという情報に書き換える。
次に印刷を実行する際にサムネイル画像の表示色変更を行った場合には、ユーザは操作キー部２３のテンキー操作を行うことで、表示変更を行ったプレビュー画面をそのまま印刷するか、原稿読み取り部４から読み込んだ配色で印刷を行うか選択できる。
例えば、ある文書の黄色の文字を表示色変更して黒に変更した場合、表示部２１に表示された黒色文字で印刷するか、原稿読み取り部４から読み込んだ元の黄色の文字で印刷を行うか選択する。その他印刷画像の色変更等も表示部２１から、設定可能とする。また、個人認証ユニット２から各個人のユーザＩＤを画像形成装置へ入力しない場合には、ユーザは健常者と判断し、操作部１の表示部２１の表示色変更は行わない。
【０００８】
図４は本発明の実施形態に係る画像形成装置の制御動作を示すフローチャートである。上記した一連の処理を纏めたものである。個人情報入力があるか判断し（Ｓ１）、個人情報がなければ健常者とみなして通常の操作を行う（Ｓ２）。
一方、個人情報の入力があれば、第２の記憶部６に格納されている個人情報と一致するか判断して（Ｓ３）、一致していればデータテーブルを読み出す（Ｓ４）。
次に、サムネイル表示がＯＫか判断し（Ｓ５）、ＯＫでなければ（Ｓ５でＮ）ＯＫとなるまでサムネイル画像の表示色を変更し（Ｓ６、Ｓ７）、変更内容を記憶手段に保存する（Ｓ８）。そしてプレビュー表示色通りに印刷するか判断し（Ｓ９）、プレビュー表示色通りに印刷しない場合は読み取った配色で印刷する（Ｓ１０）。プレビュー表示色通りに印刷する場合はその色で印刷する（Ｓ１１）。
【図面の簡単な説明】
【０００９】
【図１】本発明の実施形態に係る画像形成装置の外観図である。
【図２】本発明の実施形態に係る画像形成装置の機能ブロック図である。
【図３】各ユーザの個人情報のデータテーブルを示す図である。
【図４】本発明の実施形態に係る画像形成装置の制御動作を示すフローチャートである。
【符号の説明】
【００１０】
１  操作部、２  個人認証ユニット、３  ＣＰＵ（制御手段）、４  原稿読み取り部、５  第１の記憶部（記憶手段）、６  第２の記憶部（記憶手段）、８  情報入力部（情報入力手段）、９  判定部（判定手段）、２１  表示部（表示手段）、３１  サムネイル生成部（サムネイル生成手段）
【図１】
2007121760.tif 000003
【図２】
2007121760.tif 000004
【図３】
2007121760.tif 000005
【図４】
2007121760.tif 000006